(57)【要約】【課題】  弾性部材や接着剤を完全に剥がすことができ、しかも再び接着剤等を使用して弾性部材をより良い精度で貼付することができる成形シート打抜型用及び成形シート打抜受台用のシート合板を提供する。【解決手段】  木製の基板と、該木製基板の少なくとも一方の面に形成したシート層とを備えた成形シート打抜型用及び成形シート打抜受台用のシート合板である。【選択図】  図１
2013010163.tif 000002
【特許請求の範囲】
【請求項１】
成形シート打抜型用及び成形シート打抜受台用のシート合板であって、木製の基板と、該木製基板の少なくとも一方の面に形成したシート層とを備えたことを特徴とするシート合板。
【請求項２】
前記木製基板の両面にシート層を形成したことを特徴とする請求項１に記載のシート合板。
【請求項３】
請求項１又は２記載のシート合板を用いたことを特徴とする成形シート打抜型。
【請求項４】
請求項１又は２記載のシート合板を用いたことを特徴とする成形シート打抜受台。
【発明の詳細な説明】
【技術分野】
【０００１】
本発明は、成形シート打抜型用及び成形シート打抜受台用のシート合板に関し、特に、食品用のトレイ等を縦横に連ねて成型した一枚の大きなシート材から個々のトレイを打ち抜くための成形シート打抜型及び成形シート打抜受台に用いるのに適したシート合板に関するものである。
【背景技術】
【０００２】
従来より、樹脂、紙、段ボール等のシート材は、種々の形状に打ち抜くことにより、食品用トレイ、紙箱、段ボール箱等の様々な用途に使用されている。例えば、図６の斜視図に示すように、縦横に凹部を連ねた発泡スチロール製のシート材１０を個々のトレイ１１に打ち抜いたものは、スーパーマーケット等に於いて、肉、魚、果物等の食品類を所定重量ずつ小分けして陳列するために使用されている。このようなトレイは、通常、図６に示すように、一枚の大きなシート材１０として成形され、次に、図７に示すように、個々のトレイ１１，１１…に打ち抜かれる（特許文献１および２）。このようなシート材１０の打ち抜きには成形シート打抜機が用いられ、この成形シート打抜機は、個々のトレイ１１の平面視の形状に対応する打抜刃を設けた成形シート打抜型と、これに対向するまな板の役目を果たす成形シート打抜受台とを有している。
【０００３】
図５は、従来の成形シート打抜機を部分的に示しており、シート材１０を構成する一つのトレイ１１に対応する部分を表している。図５に示すように、この成形シート打抜機は、シート材１０における個々のトレイ１１の配列に合わせて配設された複数の打抜刃１２を備えた成形シート打抜型５０と、打抜刃１２に対するまな板として機能する打抜用面板７２を備えた成形シート打抜受台６０とによって構成されており、打抜刃１２と打抜用面板７２との間でシート材１０が打ち抜かれ、これによって複数のトレイ１１に切り分けられる。
【０００４】
成形シート打抜型５０の打抜刃１２は木製の打抜側台座１７に埋め込まれており、その最下端はステンレスなどからなる打抜側保持基板１３に当接している。この打抜側保持基板１３はビスなど（図示せず）によって打抜側台座１７に固定されている。また、打抜刃１２の周囲には木製の打抜側中間台座１８が設けられ、打抜側中間台座１８の上には樹脂製のスポンジなどからなる外側弾性体１９が設けられている。また、打抜刃１２の内側にはトレイ１１と同じ形状の倣い部材２７が設けられ、倣い部材２７は樹脂製のスポンジなどからなる内側弾性体２９を介して打抜側台座１７に固定されている。
【０００５】
一方、成形シート打抜受台６０の打抜用面板７２は、第１の台座７８ａ及び第２の台座７８ｂを介して受台側台座７７に接着剤などを用いて固定されている。打抜用面板７２、第１の台座７８ａ及び第２の台座７８ｂは全て木製である。
【０００６】
上記の成形シート打抜型５０においては、打抜側台座１７、打抜側中間台座１８などの木製の部材は、通常、ベニヤ合板から切り出され、その上に外側弾性体１９、内側弾性体２９などが接着剤により貼付されるのが通常である。しかしながら、このような成形シート打抜型５０における外側弾性体１９、内側弾性体２９などの配置は、シート材１０の製造条件やトレイ１１の形状の変更に応じて変更される場合があり、またスポンジの消耗により厚み精度が悪くなり、それらの場合には弾性部材を剥がし、新たに弾性部材を貼り直すことが必要となることがある。その際、弾性部材や接着剤が木製部材から完全に除去されずに残る場合や、木製の部材が合板からなる場合には合板が層間剥離するなどの損傷を生ずる場合がある。このような木製部材は、再使用することができないか、又は再使用できたとしても再び弾性部材を貼付する場合に厚み精度が悪くなるなどの問題を生ずる。弾性部材の厚み精度が悪いと、例えば厚みが厚すぎる場合には刃物で弾性部材も切断してしまい、弾性部材の切断片が製品に混入してしまう。逆に厚みが薄すぎると、切断時に製品をしっかり保持できなかったり、切断後に製品を刃物から押し出す役割を果たせない場合がある。また、木製部材に不完全に付着したままの弾性部材や接着剤の断片が打抜加工中に剥がれ落ちたり、合板の層間剥離により合板の断片が剥がれ落ちたり、これが製品であるトレイに夾雑物として付着したままスーパーなどに提供され、最終的には食品とともに消費者の口に入ることも想定される。
【先行技術文献】
【特許文献】
【０００７】
【特許文献１】特開平９−４７９９９号公報（図３）
【特許文献２】特開２００９−１８３７８号公報（図３）
【発明の概要】
【発明が解決しようとする課題】
【０００８】
本発明はこのような従来技術の問題点を解決するために為されたものであり、本発明の目的は、弾性部材や接着剤を完全に剥がすことができ、しかも再び接着剤等を使用して弾性部材等をより良い精度で貼付することができる成形シート打抜型用及び成形シート打抜受台用のシート合板を提供することである。
【課題を解決するための手段】
【０００９】
本発明のシート合板は、成形シート打抜型用及び成形シート打抜受台用のシート合板であって、木製の基板と、該木製基板の少なくとも一方の面に形成したシート層とを備えたことを特徴とする。これにより、塩ビ合板や化粧板を用いるよりも安価に仕上げることができる。
【００１０】
本発明のシート合板は、成形シート打抜型又は成形シート打抜受台を作製するために使用されるものであり、所定の形状に切り出された後、シート層上に接着剤などを用いて弾性部材などが貼付される。本発明におけるシート層は、例えば、ポリエチレンテレフタレート、ポリエステル、ポリエチレン、ポリ塩化ビニール、ポリプロピレン、アクリル、ナイロンなどの樹脂からなり、その厚さは、１００〜２００μｍの範囲であることが好ましい。シート層の厚さがこれより薄いと、弾性部材や接着剤を剥がす際にシート層の強度が不足し破れるので好ましくない。また、シート層の厚さがこれより厚いと、シート合板を種々の形状に加工する際に加工し難くなるので好ましくない。このようなシート層を設けたことにより、接着剤や弾性部材を完全に除去することが可能となるので、再び接着剤等を使用して弾性部材をより良い精度で貼付することが可能となる。
【００１１】
また、上記のシート合板においては、前記木製基板の両面にシート層を形成してもよい。このシート基板には、前記木製基板の両面に弾性部材を貼付する場合に使用される。
【００１２】
更に、本発明の成形シート打抜型および成形シート打抜受台は、上記シート合板を用いたことを特徴とする。
【発明の効果】
【００１３】
本発明のシート合板を使用して成形シート打抜型用及び成形シート打抜受台用を作製すれば、容易にかつ完全に接着剤や弾性部材をシート合板から剥がすことができるため、再び弾性部材を貼付して再使用する場合に弾性部材の厚み精度が悪くなるなどの問題は生じない。また、不完全に付着したままの弾性部材や接着剤の断片が打抜加工中に剥がれ落ちるなどの不具合や合板の層間剥離が防止されるので、これがトレイに夾雑物として食品に混入することもない。
【図面の簡単な説明】
【００１４】
【図１】本発明の成形シート打抜型用及び成形シート打抜受台用のシート合板の断面図である。
【図２】（ａ）は図１のシート合板を使用した成形シート打抜型、（ｂ）は（ａ）の成形シート打抜型に対向する成形シート打抜受台を示す断面図である。
【図３】本発明の一実施形態に係る成形シート打抜型を示す斜視図である。
【図４】図３の成形シート打抜型と共に用いられる成形シート打抜受台の一部を示す斜視図である。
【図５】（ａ）は従来の成形シート打抜型の断面図であり、（ｂ）は従来の成形シート打抜受台の断面図である。
【図６】シート材の一例を示す斜視図である。
【図７】シート材の打ち抜きにより得られるトレイの一例を示す斜視図である。
【発明を実施するための形態】
【００１５】
本発明の実施形態について、図面を参照しながら説明するが、本発明は以下の実施形態に限定されるものではない。
【００１６】
図１は本発明の成形シート打抜型用及び成形シート打抜受台用のシート合板の断面図である。本発明のシート合板は、木製基板１と、木製基板１の一方の面に形成されたシート層２とを備えている。図１のシート合板では、木製基板１の一方の面のみにシート層２が設けられているが、木製基板１のもう一方の面（図１の下面）にもシート層を形成してもよい。本実施形態では、シート層２として厚さ１８０μｍのポリエチレンテレフタレート製の樹脂シートを用い、これを接着剤により木製基板１に貼付した。本発明のシート合板は、後述する打抜側台座１７及び打抜側中間台座１８の作製に使用することができるものである。
【００１７】
図３は、本発明のシート合板を用いて作成した成形シート打抜型５０の斜視図であり、図２（ｂ）は、一つのトレイ１１に対応する成形シート打抜型５０の部分の断面図である。この成形シート打抜型５０は、図２（ａ）に示す成形シート打抜受台６０とともに用いられて、前述の図６に示すシート材１０を、図７に示す個々のトレイ１１に打ち抜くように機能する。
【００１８】
本実施形態における成形シート打抜型５０は、図２（ｂ）に示すように、スティール製の打抜側保持基板１３上にビス（図示せず）によって取り付けられた木製の打抜側台座１７を有し、打抜側台座１７の一方の面にはシート層１７ａが形成されている。また、打抜側台座１７には、トレイ１１の平面視の形状に沿った打抜刃１２が立設されており、打抜刃１２の下部は、打抜側保持基板１３からの圧力が伝わるように、打抜側台座１７の裏面側まで達するように埋め込まれている。打抜側台座１７上の打抜刃１２の外側には、打抜側中間台座１８が設けられて打抜刃１２を取り囲んでおり、打抜側中間台座１８の上面にはシート層１８ａが形成されている。シート層１８ａ上には、打抜側中間台座１８と平面視で同じ形状の外側弾性体１９が形成され、この外側弾性体１９は、シート層１８ａに接着剤を用いて固定されている。
【００１９】
また、本実施形態における成形シート打抜型５０では、打抜刃１２の内側に、トレイ１１の凹部の形状に沿った形状を有する凸状の倣い部材２７が設けられており、この倣い部材２７は内側弾性体２９を介して打抜側台座１７のシート層１７ａに貼付されている。倣い部材２７と内側弾性体２９との間、および内側弾性体２９とシート層１７ａとの間は、接着剤を用いて固定されている。
【００２０】
このような打抜側中間台座１８、倣い部材２７、打抜刃１２、内側弾性体２９等は、図３に示すように、一枚の打抜側台座１７上に縦横に並べて形成されている。シート材１０の打ち抜きに際しては、外側弾性体１９が圧縮されて打抜刃１２が露出し、後述する成形シート打抜受台６０の打抜用面板７２に押圧されることにより、シート材１０が押し切られてトレイ１１に分割される。
【００２１】
図２（ａ）は、本発明のシート合板を用いた成形シート打抜受台６０の一部を表す断面図であり、図４は成形シート打抜受台６０の斜視図である。この成形シート打抜受台６０は、木製の受台側台座７７上に接着剤を用いて固定された第１の台座７８ａ及び第２の台座７８ｂを有し、第２の台座７８ｂ上には、成形シート打抜型５０の打抜刃１２に対するまな板として機能する打抜用面板７２が設けられている。本実施形態の成形シート打抜受台６０では、第１の台座７８ａ、第２の台座７８ｂ及び打抜用面板７２は平面視では同じ形状を有し、これらは接着剤を用いて接着され、図４に示すように、一枚の受台側台座７７上に縦横に並べられている。このような成形シート打抜受台６０は、前述の図２（ｂ）及び図３に示した成形シート打抜型５０とともに用いられて、図６に示したシート材１０を個々のトレイ１１に打ち抜くように機能する。
【００２２】
本実施形態では、打抜側台座１７にシート層１７ａが形成されているので、内側弾性体２９を剥がす場合に、これを完全に除去することができ、合板の層間剥離が生ずることもなく、接着剤も残らない。同様に、打抜側中間台座１８にはシート層１８ａが形成されているので、外側弾性体１９を剥がす場合に、これを完全に除去することができ、合板の層間剥離が生ずることもなく、接着剤も残らない。また、打抜側台座１７及び打抜側中間台座１８は、トレイ１１の寸法や配置の異なるシート材１０を打ち抜くための別の成形シート打抜型や成形シート打抜受台の作製に再利用することができる。その際、弾性体の断片や接着剤は完全に除去されているので、再利用に際して貼付される弾性体等をより良い精度で貼付することができる。
【００２３】
なお、上記の実施形態では、成形シート打抜受台６０側にはシート層２を有する合板を使用していないが、成形シート打抜受台６０側にスポンジなどの弾性体を用いるような用途の場合には、図１に示したシート合板を使用することができる。この場合、成形シート打抜受台６０においても、スポンジなどの弾性体を完全に除去することができ、接着剤も残らないという利点が得られる。
【産業上の利用可能性】
【００２４】
本発明の成形シート打抜型用及び成形シート打抜受台用のシート合板によれば、弾性部材や接着剤を完全に剥がすことができ、しかも再び接着剤等を使用して弾性部材を正確な位置に貼付することができるので、食品包装資材等の分野で利用可能である。
【符号の説明】
【００２５】
１  木製基板
２  シート層
１０  シート材
１１  トレイ
１２  打抜刃
１３  打抜側保持基板
１７  打抜側台座
１７ａ  シート層
１８  打抜側中間台座
１８ａ  シート層
１９  外側弾性体
２７  倣い部材
２９  内側弾性体
５０  成形シート打抜型
６０  成形シート打抜受台
７２  打抜用面板
７７  受台側台座
７８ａ  第１の台座
７８ｂ  第２の台座
【図１】
2013010163.tif 000003
【図２】
2013010163.tif 000004
【図３】
2013010163.tif 000005
【図４】
2013010163.tif 000006
【図５】
2013010163.tif 000007
【図６】
2013010163.tif 000008
【図７】
2013010163.tif 000009